(57)【特許請求の範囲】
【請求項１】
室内熱交換器、送風機を収納した筐体の底面に吸込グリルを備えると共に、前記筐体の両側面に取り外し自在なサイドカバーを備え、室内天井から吊りボルトで吊り下げられ、室内天井板に略接して設置される天吊型空気調和装置において、
前記サイドカバーと前記室内天井板との間に後付けにより密着設置できるアタッチメントを備えたことを特徴とする天吊型空気調和装置。
【請求項２】
前記アタッチメントが、前記筐体に固定されて前記吊りボルトを保持する吊り金具と、前記室内天井板との間に後付けにより保持可能であることを特徴とする請求項１に記載の天吊型空気調和装置。
【請求項３】
前記アタッチメントが、シール材付き板金製であることを特徴とする請求項２に記載の天吊型空気調和装置。
【請求項４】
前記アタッチメントが、前記サイドカバーの上面に貼設されていることを特徴とする請求項１に記載の天吊型空気調和装置。
【請求項５】
前記アタッチメントが、前記サイドカバーの内面に貼設されていることを特徴とする請求項１に記載の天吊型空気調和装置。
【発明の詳細な説明】
【技術分野】
【０００１】
本発明は、室内天井に吊り下げられて設置される天吊型空気調和装置に関する。
【背景技術】
【０００２】
従来、室内熱交換器、送風機を収納した筐体の底面に吸込グリルを備えると共に、前記筐体の両側面に取り外し自在なサイドカバーを備え、室内天井から吊りボルトで吊り下げられ、室内天井板に略接して設置される天吊型空気調和装置が知られている（例えば特許文献１参照）。この種のものでは、天井設置後の空気調和装置をメンテナンスするときに、筐体の両側面に設けたサイドカバーを取り外して、例えば両側面から手を入れて内部機器の不具合等を修理することが行われている。
【先行技術文献】
【特許文献】
【０００３】
【特許文献１】特開２００５−１６４２１６号公報
【発明の概要】
【発明が解決しようとする課題】
【０００４】
ところで、従来の構成では、サイドカバーを取り外すと、筐体の側面が外部に露出し、この側面部は、室内熱交換器の吸い込み空間に連通する構成となっている。
一般的に、天吊型空気調和装置は、この状態で、室内天井から吊りボルトで吊り下げられ、室内天井板に略接して設置されており、例えば室内天井板に変形等が発生していると、サイドカバーと室内天井板との間に隙間が生じ、その隙間から室内空気を筐体の側面部に吸い込み、この側面部から室内熱交換器の吸い込み空間に室内空気が進入する恐れがある。天吊型空気調和装置の運転中に、室内空気が吸込グリルを経ずに室内熱交換器の吸い込み空間に進入すると、フィルタで除去しない室内の塵埃が室内熱交換器に至り、長時間に亘る運転使用時に室内熱交換器が目詰まりする等の問題がある。
そこで、本発明の目的は、上述した従来の技術が有する課題を解消し、運転中に室内空気が吸込グリルを経ずに室内熱交換器の吸い込み空間に進入することが抑制される天吊型空気調和装置を提供することにある。
【課題を解決するための手段】
【０００５】
上記課題を解決するため、本発明は、室内熱交換器、送風機を収納した筐体の底面に吸込グリルを備えると共に、前記筐体の両側面に取り外し自在なサイドカバーを備え、室内天井から吊りボルトで吊り下げられ、室内天井板に略接して設置される天吊型空気調和装置において、前記サイドカバーと前記室内天井板との間に後付けにより密着設置できるアタッチメントを備えたことを特徴とする。
この場合において、前記アタッチメントが、前記筐体に固定されて前記吊りボルトを保持する吊り金具と、前記室内天井板との間に後付けにより保持可能であってもよい。
前記アタッチメントが、シール材付き板金製であってもよい。
前記アタッチメントが、前記サイドカバーの上面に貼設されていてもよい。
前記アタッチメントが、前記サイドカバーの内面に貼設されていてもよい。
【０００６】
この発明では、サイドカバーと室内天井板との間に後付けにより密着設置できるアタッチメントを備えたため、例えば室内天井板に変形等が発生し、サイドカバーと室内天井板との間に隙間が生じたとしても、アタッチメントを密着設置することで、その隙間が埋まり、筐体の側面部への室内空気の進入が抑制され、ひいては室内熱交換器の吸い込み空間への室内空気の進入が抑制される。従って、運転中に、室内空気が吸込グリルを経ずに室内熱交換器の吸い込み空間に進入することが抑制されて、フィルタで除去しない室内の塵埃が室内熱交換器に至ることがなく、長時間に亘る運転使用時にあっても室内熱交換器の目詰まりが抑制される。
【発明の効果】
【０００７】
本発明では、例えば経年変化により、サイドカバーと室内天井板との間に隙間が生じたとしても、アタッチメントを密着設置することで、その隙間が埋まり、筐体の側面部への室内空気の進入が抑制され、ひいては室内熱交換器の吸い込み空間への室内空気の進入が抑制される。従って、運転中に、室内の塵埃が室内熱交換器に至ることが少なくなり、室内熱交換器の目詰まりが抑制される。
【図面の簡単な説明】
【０００８】
【図１】実施形態の天吊型空気調和装置の外観構成を示す斜視図である。
【図２】空気調和機本体の内部構造を示す断面図である。
【図３】空気調和機本体の内部構造を示す平面図である。
【図４】実施形態の天吊型空気調和装置を天井側から見た場合の斜視図である。
【図５】アタッチメントの装着状態を示す斜視図である。
【図６】アタッチメントの斜視図である。
【図７】別の実施の形態を示す斜視図である。
【発明を実施するための形態】
【０００９】
以下、本発明の一実施の形態について、図面を参照して説明する。
図１は、本実施形態にかかる天吊型空気調和装置の外観構成を示す斜視図である。図２は、空気調和機本体の内部構造を示す断面図である。図３は、空気調和機本体の内部構造を示す平面図である。
図１に示すように、天吊型空気調和装置１は、空気調和機本体１ａと、ケーシング（筐体）１２Ａを備えている。このケーシング１２Ａは、空気調和機本体１ａの両側に位置する樹脂製のサイドカバー４５と、空気調和機本体１ａの下部（底部）側に配置された底パネル１４および吸込グリル３７とを備えている。
ケーシング１２Ａには、空気調和機本体１ａをコントロールするための図示しないリモートコントローラからの指示信号を受信する図示しない受信ユニットがその裏面に配置された受信窓５０が設けられている。
【００１０】
図２に示すように、空気調和機本体１ａは、天井から吊り下げられた吊りボルト３に引っかけられて室内天井板５の下面に設置・固定されている。この空気調和機本体１ａには、前面側に吹出口４１が設けられており、前面側から順に、室内熱交換器１５、送風機１３が配置されている。また、吹出口４１内には、風向を調整するためのルーバー５１が配置されている。さらに、この他にも空気調和機本体１ａ内には、電装箱１１、冷媒配管２９等の各種機器類が収納されている。
【００１１】
本構成の送風機１３は、図３に示すように、四台の送風機ユニット２１〜２４を備えており、これらは一台のモータ２５で駆動される回転軸２７上に固定・配置されている。室内熱交換器１５は、図２に示すようにフィン・チューブ型の熱交換器であり、空気調和機本体１ａ内に斜めに設置される。この室内熱交換器１５には冷媒配管２９が接続され、この冷媒配管２９は空気調和機本体１ａの外に導出され、室外機（図示せず）の圧縮機、減圧装置、室外熱交換器等に接続される。
【００１２】
熱交換器１５の下方には、図２に示すように、発泡スチロール製のドレンパン３１が設置され、このドレンパン３１の下面には板金製パネル３３が設置される。ドレンパン３１のドレン溜まり３１ａには、図３に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１ａの外に排出する。送風機１３の下方には、図２に示すように、樹脂製の吸込グリル３７が設置され、この吸込グリル３７には空気清浄用のフィルタ３９が取り付けられる。そして、送風機１３が駆動されると吸込グリル３７およびフィルタ３９を通じて室内の空気が空気調和機本体１ａ内に吸い込まれ、この空気は室内熱交換器１５で熱交換された後に、ルーバー５１により風向が調整されて、吹出口４１を通じて室内に吹き出される。中仕切板４３は、空気調和機本体１ａの略中央を横断的に仕切る仕切板であり、送風機１３は、この中仕切板４３にて仕切られた室に配置されている。
【００１３】
図４は、天吊型空気調和装置１を天井側から見た場合の外観構成を示す斜視図であり、手前のサイドカバー４５を取り外した状態を示している。この空気調和機本体１ａは、例えばメンテナンス時にサイドカバー４５を取り外した状態で、ケーシング１２Ａの側面が外部に露出し、この露出した側面部１２Ｂには、開口１２Ｃ等、各種隙間が設けられ、開口１２Ｃには送風機１３が臨んでおり、従って開口１２Ｃの内側は室内熱交換器１５の吸い込み空間に連通する。この開口１２Ｃにはオプションとして例えば吸込グリル３７の昇降機構（図示せず）等が接続される。
【００１４】
この天吊型空気調和装置１は、図２に示すように、室内天井から吊りボルト３で吊り下げられ、室内天井板５に略接して設置される。吊りボルト３はケーシング１２Ａの４隅を支持しており、図４を参照し、ケーシング１２Ａの両端に固定して設けた吊り金具６１の両端の係止溝６１Ａに引っかけて、ナット１３Ａ止め（図５参照。）することにより、ケーシング１２Ａが支持されている。ここで、吊り金具６１の幅寸法Ｌは、サイドカバー４５の一対の上片４５Ａ間の内寸法Ｌとほぼ等しく、サイドカバー４５がケーシング１２Ａの側面に取り付けられたときには、図４の奥側のサイドカバー４５に見て取れるように、一対の上片４５Ａ間に吊り金具６１が嵌るようになっている。ところで、例えば、室内天井板５が経年変化等により波打った場合、サイドカバー４５の上面と、室内天井板５の下面との間に隙間δ（図２参照。）が生じ、その隙間δから室内空気をケーシング１２Ａの側面部１２Ｂに吸い込み、この側面部１２Ｂから、上述のように室内熱交換器１５の吸い込み空間に室内空気が進入する恐れがある。運転中に、室内空気が吸込グリル３７を経ずに室内熱交換器１５に進入すると、フィルタ３９で除去しない室内の塵埃が室内熱交換器１５に吸い込まれ、室内熱交換器１５に目詰まりする。
【００１５】
本実施の形態では、図５に示すように、サイドカバー４５の上面と、室内天井板５の下面との間に、アタッチメント６５が後付けにより密着設置可能に取り付けられる。このアタッチメント６５は、図６に示すように、板金の表裏面を弾性部材のシール材で覆って構成された、いわゆるシール材付き板金製のアタッチメントである。このアタッチメント６５の一辺には、２つの略Ｌ字状のスリット６５Ｂが形成されている。このアタッチメント６５は、図５に示すように、吊りボルト３を保持する吊り金具６１の上面と、室内天井板５の下面との間に、後付けにより横方向から差し込まれる。この際には、図６に示すアタッチメント６５の表面６５Ｃを、吊り金具６１の上面に接しさせて、スリット６５Ｂと吊りボルト３を整合し、スリット６５Ｂ内に吊りボルト３を導くようにして差し込まれる。アタッチメント６５の全長は、サイドカバー４５の全長と略一致している。
【００１６】
アタッチメント６５の装着手順を説明する。まず４カ所の吊りボルト３のナット１３Ａを均等に緩めて空気調和機本体１ａを水平状態を保持したまま下方にずらし、これにより吊り金具６１の上面と、室内天井板５の下面との間にアタッチメント６５を挿入可能な程度の隙間を形成し、アタッチメント６５を横方向から差し込み、ついで、４カ所の吊りボルト３のナット１３Ａを締め込んで、吊り金具６１の上面と、室内天井板５の下面との間にアタッチメント６５を密着固定する。
【００１７】
この実施の形態では、アタッチメント６５の装着後に、ケーシング１２Ａの側面にサイドカバー４５を取り付けると、アタッチメント６５の表裏のシール材が、吊り金具６１の上面、及び室内天井板５の下面の双方に密着するため、アタッチメント６５のスリット６５Ｂ周辺の隙間が減少し、少なくとも吊り金具６１の上面と室内天井板５の下面との隙間はほぼ無くなる。また、図４を参照して、サイドカバー４５がケーシング１２Ａの側面に取り付けられたときには、一対の上片４５Ａ間に吊り金具６１が嵌り、従って、サイドカバー４５の上面とアタッチメント６５の下面とが密着し、サイドカバー４５の上面とアタッチメント６５の下面との隙間がほぼ無くなる。
この実施の形態では、アタッチメント６５を装着することで、サイドカバー４５周辺の隙間が減少し、ケーシング１２Ａの側面部１２Ｂへの室内空気の吸引、及び室内熱交換器１５の吸い込み空間への室内空気の進入を抑制できる。
従って、空気調和装置１の運転中に、室内空気は、ほとんど吸込グリル３７を経て室内熱交換器１５に進入するため、吸込グリル３７のフィルタ３９で室内の塵埃が除去され、室内熱交換器１５への目詰まりを抑制できる。
【００１８】
以上、一実施の形態に基づいて、本発明を説明したが、本発明は、これに限定されるものではない。アタッチメント６５の長さは、サイドカバー４５の全長に一致させたが、少なくとも吊り金具６１の長さＬを越える長さであればよい。アタッチメント６５の表裏にシール材を備えたが、少なくとも吊り金具６１と密着する面にシール材を備えていればよく、室内天井板５と密着する面のシール材は省略が可能である。
【００１９】
また、例えば、上述した構成のアタッチメント６５の代わりに、図７に示すように、サイドカバー４５の上面に、シール材としてのアタッチメント１６５を貼設する構成としてもよい。この構成では、サイドカバー４５を取り付けたとき、アタッチメント１６５の上面が室内天井板５の下面に接触することで隙間が無くなり、サイドカバー４５周辺の隙間が減少し、ケーシング１２Ａの側面部１２Ｂへの室内空気の吸引、及び室内熱交換器１５の吸い込み空間への室内空気の進入を抑制できる。また、サイドカバー４５の上面に、アタッチメント１６５を貼設する代わりに、サイドカバー４５の内面に、図７に破線及び梨地模様で示すように、略矩形状の厚みを持ったクッション材製のアタッチメント２６５を貼設する構成としてもよい。この構成によれば、サイドカバー４５を取り付けたときに、アタッチメント２６５が、ケーシング１２Ａの側面に当たり、側面部１２Ｂに形成された想像線示の開口１２Ｃ等が閉塞される。従って、仮に、ケーシング１２Ａの側面部１２Ｂへの室内空気の吸引が起きたとしても、開口１２Ｃが閉塞されるため、室内熱交換器１５の吸い込み空間への室内空気の進入を抑制できる。
【符号の説明】
【００２０】
１  天吊型空気調和装置
１ａ  空気調和機本体
５  室内天井板
１２Ａ  ケーシング（筐体）
１５  室内熱交換器
３７  吸込グリル
３９  フィルタ
４５  サイドカバー
６１  吊り金具
６５，１６５，２６５  アタッチメント
【図１】
0005542616.tif 000002
【図２】
0005542616.tif 000003
【図３】
0005542616.tif 000004
【図４】
0005542616.tif 000005
【図５】
0005542616.tif 000006
【図６】
0005542616.tif 000007
【図７】
0005542616.tif 000008